(57)【要約】【課題】耐ハイドロプレーニング性能を向上しながら、ヒールアンドトウ摩耗を抑制することができる空気入りタイヤを提供する。【解決手段】トレッドに、横溝によってタイヤ周方向に区画された複数のブロックが設けられている空気入りタイヤにおいて、前記ブロックに形成されているサイプ８が、踏面にて開口する幅狭部８１と、その幅狭部８１のタイヤ径方向内側に連通し、幅狭部８１よりも拡幅してなる幅広部８２とを有し、その幅広部８２が、サイプ８の一方の端部Ｅ１から他方の端部Ｅ２に向かって、幅方向ＷＤの一方の側における拡幅長さＷＬ１を漸増させるとともに、幅方向ＷＤの他方の側における拡幅長さＷＬ２を漸減させ、摩耗の進行により踏面に出現する際に角度変化を伴うように構成されている。【選択図】図２
2011183952.tif 000002
【特許請求の範囲】
【請求項１】
トレッドに、横溝によってタイヤ周方向に区画された複数のブロックが設けられている空気入りタイヤにおいて、
前記ブロックに形成されているサイプが、踏面にて開口する幅狭部と、その幅狭部のタイヤ径方向内側に連通し、前記幅狭部よりも拡幅してなる幅広部とを有し、
前記幅広部が、前記サイプの一方の端部から他方の端部に向かって、幅方向の一方の側における拡幅長さを漸増させるとともに、幅方向の他方の側における拡幅長さを漸減させ、摩耗の進行により踏面に出現する際に角度変化を伴うように構成されていることを特徴とする空気入りタイヤ。
【請求項２】
前記幅広部がタイヤ径方向内側に向かって徐々に拡幅する請求項１に記載の空気入りタイヤ。
【請求項３】
前記幅広部が、タイヤ径方向に延びる部分を含んだ階段状の壁面にて拡幅する請求項２に記載の空気入りタイヤ。
【請求項４】
前記横溝が前記サイプよりも浅く形成されていて、摩耗の進行により前記横溝が消失したときに前記幅広部が踏面に出現しているように構成されている請求項１〜３のいずれか１項に記載の空気入りタイヤ。
【請求項５】
前記サイプが前記横溝と交差して延び、そのサイプの両端部にて前記幅広部が前記横溝から遠い側を近い側よりも大きく拡幅させている請求項１〜４のいずれか１項に記載の空気入りタイヤ。
【請求項６】
前記幅広部が、前記サイプの一方の端部から他方の端部に向かって、踏面から幅方向の一方の側における拡幅部分までの深さを漸減させるとともに、踏面から幅方向の他方の側における拡幅部分までの深さを漸増させる請求項１〜５のいずれか１項に記載の空気入りタイヤ。
【発明の詳細な説明】
【技術分野】
【０００１】
本発明は、耐ハイドロプレーニング性能を保持しながら、ヒールアンドトウ摩耗を抑制することができる空気入りタイヤに関する。
【背景技術】
【０００２】
雪道での走行に用いられるスタッドレスタイヤでは、トレッド上のブロックにサイプと呼ばれる切り込みを形成しており、そのサイプのエッジ効果によって雪上路面での操縦安定性能を高めている。その一方で、摩耗の進行により溝深さが半減した状態になると、スタッドレス性能の保持が困難となるため、冬タイヤとして使用できないという実情がある。そこで、タイヤ寿命を延ばすべく、摩耗後のスタッドレスタイヤを夏タイヤとして利用することが考えられるが、そのためには排水性能の保持と耐偏摩耗性能の向上が重要となる。
【０００３】
下記特許文献１には、図８のようなスリット２１によりブロックを区画し、その踏面のエッジに面取り２２を形成した空気入りタイヤが記載されている。当該文献では、広幅部２３で溝ボリュームが大きくなることにより排水性能を向上でき、面取り２２によってヒールアンドトウ摩耗を緩和できると説明している。ヒールアンドトウ摩耗とは、タイヤに生じる偏摩耗の一形態であり、タイヤ転動に伴うブロックへの周方向入力に応じて、ブロックの蹴り出し側及び踏み込み側の一方が他方よりも優先的に摩耗することで発生する。
【０００４】
下記特許文献２には、図９に示したサイプ２５をトレッドの陸部に形成し、摩耗の進行に伴うキャビティ２６の露出によりトレッドパターンが非対称形状から点対称形状に変化するように構成した空気入りタイヤが記載されている。当該文献では、かかるトレッドパターンの変化の後、タイヤの装着方向を変更して蹴り出し側と踏み込み側を逆向きにすることにより、ヒールアンドトウ摩耗を抑制できると説明している。
【０００５】
しかしながら、上記のスリット２１では、広幅部２３により拡幅された片側の剛性が全長に亘って低下し、また、上記のサイプ２５では、キャビティ２６により拡幅された両側の剛性が全長に亘って低下することから、ブロックの端部の剛性低下を引き起こしやすく、ヒールアンドトウ摩耗の抑制効果が十分とは言えなかった。しかも、そのような剛性低下の懸念があるために、実際には広幅部２３やキャビティ２６を大きく拡幅することが困難な場合があり、耐ハイドロプレーニング性能についても改善する余地があった。
【先行技術文献】
【特許文献】
【０００６】
【特許文献１】特開２００３−１５９９１０号公報
【特許文献２】特開２００８−２６０４２３号公報
【発明の概要】
【発明が解決しようとする課題】
【０００７】
本発明は上記実情に鑑みてなされたものであり、その目的は、耐ハイドロプレーニング性能を保持しながら、ヒールアンドトウ摩耗を抑制することができる空気入りタイヤを提供することにある。
【課題を解決するための手段】
【０００８】
上記目的は、下記の如き本発明により達成することができる。即ち、本発明に係る空気入りタイヤは、トレッドに、横溝によってタイヤ周方向に区画された複数のブロックが設けられている空気入りタイヤにおいて、前記ブロックに形成されているサイプが、踏面にて開口する幅狭部と、その幅狭部のタイヤ径方向内側に連通し、前記幅狭部よりも拡幅してなる幅広部とを有し、前記幅広部が、前記サイプの一方の端部から他方の端部に向かって、幅方向の一方の側における拡幅長さを漸増させるとともに、幅方向の他方の側における拡幅長さを漸減させ、摩耗の進行により踏面に出現する際に角度変化を伴うように構成されているものである。
【０００９】
本発明に係る空気入りタイヤでは、幅広部が、サイプの一方の端部から他方の端部に向かって、幅方向の一方の側における拡幅長さを漸増させ、幅方向の他方の側における拡幅長さを漸減させているため、幅広部により拡幅された各側の剛性が全長に亘って低下するのを防ぐことができる。その結果、ブロックの端部の剛性を確保しやすくなり、ヒールアンドトウ摩耗を抑制できる。しかも、幅広部が踏面に出現する際に角度変化を伴うことで、摩耗後には幅広で長い溝が形成されるとともに、上記のような剛性確保に応じて幅広部を大きく拡幅し得ることから、耐ハイドロプレーニング性能を十分に保持できる。
【００１０】
本発明の空気入りタイヤでは、前記幅広部がタイヤ径方向内側に向かって徐々に拡幅することが好ましい。かかる構成によれば、摩耗が進行する過程での急激な剛性変化を緩和して、ヒールアンドトウ摩耗を効果的に抑制できる。また、この場合には、前記幅広部が、タイヤ径方向に延びる部分を含んだ階段状の壁面にて拡幅することが好ましい。これにより、摩耗が進行する過程でタイヤ径方向に延びる部分が踏面に出現し、その部分にてエッジ効果を発揮できることから、雪上路面での操縦安定性能を向上できる。
【００１１】
本発明の空気入りタイヤでは、前記横溝が前記サイプよりも浅く形成されていて、摩耗の進行により前記横溝が消失したときに前記幅広部が踏面に出現しているように構成されていることが好ましい。かかる構成では、摩耗後の踏面に横溝に代わって幅広部が出現するため、摩耗後に要求されるタイヤ性能に応じてブロックの区画を変化させることができる。したがって、例えば、幅広部のタイヤ幅方向に対する角度を横溝よりも大きくすることで、摩耗後の耐ハイドロプレーニング性能を効果的に高めることができる。
【００１２】
本発明の空気入りタイヤでは、前記サイプが前記横溝と交差して延び、そのサイプの両端部にて前記幅広部が前記横溝から遠い側を近い側よりも大きく拡幅させていることが好ましい。かかる構成によれば、サイプと横溝との間に介在するブロックの端部の剛性低下を良好に防いで、ヒールアンドトウ摩耗を効果的に抑制することができる。
【００１３】
本発明の空気入りタイヤは、前記幅広部が、前記サイプの一方の端部から他方の端部に向かって、踏面から幅方向の一方の側における拡幅部分までの深さを漸減させるとともに、踏面から幅方向の他方の側における拡幅部分までの深さを漸増させるものでもよい。この場合、幅広部の拡幅による剛性低下を更に抑えて、ヒールアンドトウ摩耗を良好に抑制できる。また、タイヤを加硫成形するに際して、サイプを形成するためのサイプブレードをトレッドから引き抜きやすくなり、成形性を向上できる。
【図面の簡単な説明】
【００１４】
【図１】本発明に係る空気入りタイヤの新品時のトレッドを示す平面図
【図２】サイプの内部形状を示す（ａ）斜視図及び（ｂ）概略平面図
【図３】ブロックの（ａ）センター側の壁面と（ｂ）ショルダー側の壁面をタイヤ幅方向外側から見たときの投影図
【図４】図１に示したトレッドの５０％摩耗時における平面図
【図５】別実施形態に係るサイプの内部形状を示す斜視図
【図６】別実施形態に係るサイプの内部形状を示す斜視図
【図７】別実施形態に係るサイプの内部形状を示す斜視図
【図８】特許文献１に記載の空気入りタイヤが備えるサイプの断面図
【図９】特許文献２に記載の空気入りタイヤが備えるサイプの断面図
【発明を実施するための形態】
【００１５】
本発明の実施の形態について図面を参照しながら説明する。図１に示すトレッドＴｒには、タイヤ周方向に沿って延びる複数の周方向溝１ａ〜１ｄが形成され、それによって複数の陸部が区画されている。この複数の陸部は、タイヤ赤道Ｃの近傍に配置されたセンター陸部１１と、最外側に配置された一対のショルダー陸部１３と、それらの間に配置された一対のメディエイト陸部１２とからなる。本実施形態では、トレッドパターンがタイヤ赤道Ｃに関して対称的に形成された例を示すが、本発明はこれに限られない。
【００１６】
センター陸部１１は、タイヤ周方向に連続して延びるリブ４で構成され、メディエイト陸部１２及びショルダー陸部１３は、それぞれ横溝２，３によってタイヤ周方向に区画された複数のブロック５，６で構成されている。本実施形態の空気入りタイヤは、雪上路面での走行を想定したスタッドレスタイヤであり、リブ４やブロック５，６に形成した複数のサイプによって、雪上路面での操縦安定性能の向上を図っている。Ｒは、タイヤの回転方向を示す。
【００１７】
ブロック５には、横溝２と略平行に配列された複数のサイプ７のほか、図２に示した内部形状を有するサイプ８が横溝２に交差して形成されている。サイプ８は、踏面にて直線状に開口する幅狭部８１と、その幅狭部８１のタイヤ径方向内側に連通し、幅狭部８１よりも拡幅してなる幅広部８２とを有する。幅狭部８１の幅Ｗ１は、その延在方向に沿って略一定であり、ヒールアンドトウ摩耗を良好に抑制するとともにエッジ効果を適切に発揮する観点から、例えば０．３〜１．０ｍｍに設定される。
【００１８】
サイプ８の一方の端部Ｅ１は周方向溝１ａ又は１ｄに開口し、他方の端部Ｅ２は周方向溝１ｂ又は１ｃに開口している。幅広部８２は、その一方の端部Ｅ１から他方の端部Ｅ２に向かって、幅方向ＷＤの一方の側（図２左側）における拡幅長さＷＬ１を漸増させるとともに、幅方向ＷＤの他方の側（図２右側）における拡幅長さＷＬ２を漸減させ、摩耗の進行により踏面に出現する際に角度変化を伴うように構成されている。拡幅長さＷＬ１，ＷＬ２は、幅狭部８１の壁面を基準にして、サイプ８の幅方向ＷＤ（幅狭部８１の幅方向）に計測される長さである。
【００１９】
踏面にて幅狭部８１が開口する摩耗の初期段階では、サイプ８の傾斜角度がθ１であるのに対し、摩耗の進行により幅狭部８１が消失して幅広部８２が踏面に出現すると、その傾斜角度はθ１からθ２へと変化する。ここで、θ１，θ２は、それぞれタイヤ幅方向ＴＷＤを基準とした幅狭部８１，幅広部８２（後述する中間部８２ａ）の延在方向の角度である。本実施形態では、角度θ１よりも角度θ２の方が大きく、摩耗後の耐ハイドロプレーニング性能を向上するうえで有利となる。この幅狭部８１，幅広部８２の延在方向は、各々の幅方向の中央線により規定できる。
【００２０】
かかる構成によれば、幅広部８２により拡幅された各側の剛性が全長に亘って低下するのを防ぐことができるため、ブロック５の端部の剛性を確保しやすくなり、ヒールアンドトウ摩耗を抑制することができる。また、幅広部８２が踏面に出現する際に角度変化を伴うことで、後述するように摩耗後には幅広で長い溝が形成されるとともに、上記のような剛性確保に応じて幅広部８２を大きく拡幅し得ることから、耐ハイドロプレーニング性能を十分に保持することができる。
【００２１】
サイプ８は、タイヤを加硫成形するに際して、図２の如き内部形状に対応した形状のサイプブレードを用いることにより形成できる。なお、図２ではサイプ８の内部形状を単独で示しているが、本実施形態ではサイプ８が横溝２と交差していることから、実際には、サイプ８の長手方向の中央部に横溝２と重複した空間が形成される。
【００２２】
幅広部８２は、タイヤ径方向内側に向かって徐々に拡幅するように形成されているため、摩耗が進行する過程での急激な剛性変化を緩和できる。また、幅広部８２は、幅狭部８１よりも幅広で、幅狭部８１のタイヤ径方向内側に連続する中間部８２ａと、その中間部８２ａよりも幅広で、中間部８２ａを介して幅狭部８１に連通する底部８２ｂとを有し、タイヤ径方向に延びる部分（中間部８２ａの壁面）を含んだ階段状の壁面にて拡幅している。摩耗の進行により、このタイヤ径方向に延びる部分が踏面に出現したときには、当該部分でエッジ効果を発揮して雪上路面での操縦安定性能を向上できる。
【００２３】
摩耗の進行により幅広部８２が踏面に出現する際には、既述のようにθ１からθ２への角度変化がもたらされるが、本実施形態では、更なる摩耗の進行により中間部８２ａが消失して底部８２ｂが露出すると、θ２からθ３への角度変化がもたらされ、傾斜角度を更に大きくして排水性を高められる。θ１からθ３への角度変化量は、例えば３〜１５°である。
【００２４】
図３は、周方向溝１ａ，１ｂの間に配置されたブロック５の壁面をタイヤ幅方向外側から見たときの投影図である。図３には、タイヤ径方向に一律な幅を有するサイプ７としてサイプ７１〜７３を示しており、このうちサイプ７１は全長に亘って横溝２と同等の深さで形成されている。一方、サイプ７２は、ブロック５のショルダー側の壁面からサイプ８に至る範囲で、サイプ７３は、ブロック５のセンター側の壁面からサイプ８に至る範囲で、それぞれ５０％摩耗時にも残存するように横溝２よりも深く形成されている。
【００２５】
横溝２は、サイプ８よりも浅く形成されているが、幅狭部８１と同等かそれ以上の溝深さを有し、摩耗の進行により横溝２が消失したときには、図４に示すように幅広部８２が踏面に出現しているように構成されている。本実施形態では、横溝２の溝深さＤ２が周方向溝の溝深さの５０％程度であり、プラットフォーム（不図示）が踏面に露出する５０％摩耗時には消失する。よって、これ以降は横溝２でヒールアンドトウ摩耗を生じることはない。
【００２６】
摩耗後に夏タイヤとして利用されるスタッドレスタイヤでは、新品時の雪上路面での操縦安定性能と、摩耗後の耐ハイドロプレーニング性能が重視される。本実施形態では、新品時に横溝２がタイヤ幅方向に沿って延びるため、その横溝２に充填される雪の剪断力でトラクションを高めて雪上路面での操縦安定性能を向上できる。それでいて、摩耗後の踏面に横溝２に代わって幅広部８２が出現すると、タイヤ幅方向に対して大きく傾斜した横溝が新たに形成され、耐ハイドロプレーニング性能を効果的に向上できる。また、ヒールアンドトウ摩耗の抑制効果に優れていることは、上述した通りである。
【００２７】
本実施形態では、横溝２の消失後にタイヤの車両への装着方向を変更しており、図１と図４とでタイヤの回転方向Ｒが反転している。このように装着方向を変更したことで、傾斜角度の大きい幅広部８２を通じて周方向溝１ｂ，１ｃ内の水を円滑に排出しやすくなり、耐ハイドロプレーニング性能を向上できる。また、横溝２の消失後に残存するサイプ７２，７３における偏摩耗を抑制するうえでも、かかる装着方向の変更が有用である。このように、当該タイヤでは、車両への装着に際し、踏面に幅広部８２が出現した後に装着方向を変えるというローテーション方法が有効に利用できる。
【００２８】
サイプ８の溝深さＤ８は、例えば周方向溝の溝深さの８５〜１００％に設定される。この溝深さＤ８に対する、踏面から中間部８２ａまでの深さ（幅狭部８１の溝深さ）Ｄ８ａの比率Ｄ８ａ／Ｄ８は、０．２〜０．５が例示される。また、溝深さＤ８に対する、踏面から底部８２ｂまでの深さＤ８ｂの比率Ｄ８ｂ／Ｄ８は、０．５〜０．８０が例示される。
【００２９】
中間部８２ａの幅Ｗ２は、排水性を高めるうえで１．５〜３．５ｍｍが好ましく、２．０〜３．０ｍｍがより好ましい。また、底部８２ｂの幅Ｗ３は、排水性を高めるうえで３．０〜７．０ｍｍが好ましく、それにより通常の横溝と遜色のない程に幅広になる。幅広部８２が底部８２ｂにて開口する段階では、ブロック５の高さが減少しているため、この程度に幅広であってもヒールアンドトウ摩耗が発生する恐れは小さい。幅Ｗ２，Ｗ３は、それぞれ中間部８２ａ，底部８２ｂの延在方向に沿って略一定であり、各々の幅方向において計測される。
【００３０】
本実施形態のようにサイプが横溝と交差して延びている場合、そのサイプの幅広部により拡幅された片側又は両側で拡幅長さが一律であると、そのサイプと横溝との間に介在するブロックの端部、特にコーナー部の剛性低下を引き起こしてヒールアンドトウ摩耗を生じやすい。そこで、このサイプ８では、両端部Ｅ１，Ｅ２にて幅広部８２が横溝２から遠い側を近い側よりも大きく拡幅させている。即ち、図３に示すように、端部Ｅ１では横溝２から遠い右側を大きく拡幅させ、端部Ｅ２では横溝２から遠い左側を大きく拡幅させており、ヒールアンドトウ摩耗を効果的に抑制できるようにしている。
【００３１】
本実施形態では、サイプ８の両端部Ｅ１，Ｅ２にて、それぞれ大きく拡幅させる側と反対側の壁面を平坦に形成しており、端部Ｅ１における拡幅長さＷＬ１と、端部Ｅ２における拡幅長さＷＬ２は実質的にゼロである。これにより、ブロック５の端部の剛性を確保しやすく、特に図１のように横溝２と交差して延びるサイプ８に関して、ブロック５のコーナー部の剛性低下を抑えるのに有効である。
【００３２】
ショルダー陸部１３を構成するブロック６には、横溝３と略平行に配列された複数のサイプ９のほか、図２と同様な内部形状を有するサイプ１０が形成されている。横溝３及びサイプ９は、横溝２と同等の深さで形成されており、摩耗が進行すると図４に示すように消失する。一方、サイプ１０は、摩耗後に幅広部が角度変化を伴って踏面に出現し、これによって耐ハイドロプレーニング性能を向上できる。このサイプ１０に関し、雪上路面でのトラクションを向上する観点から角度θ１は０〜５°が好ましく、耐ハイドロプレーニング性能を向上する観点から角度θ３は３〜１５°が好ましい。
【００３３】
図５〜７に、サイプ８の変形例を示す。図５に示すサイプ８では、幅広部８２が、一方の端部Ｅ１から他方の端部Ｅ２に向かって、踏面から幅方向の一方の側（図５左側）における拡幅部分までの深さ（図２の深さＤ８ａ又はＤ８ｂに相当）を漸減させるとともに、踏面から幅方向の他方の側（図５右側）における拡幅部分までの深さを漸増させている。かかる構成によれば、幅広部８２の拡幅部分による剛性低下を更に抑えて、ヒールアンドトウ摩耗を良好に抑制できるとともに、サイプブレードを引き抜きやすくして成形性を向上できる。
【００３４】
図６に示すサイプ８では、幅広部８２がタイヤ径方向内側に向かって徐々に拡幅するように形成され、その中間部８２ａの壁面が、タイヤ径方向に対して傾斜した傾斜面で形成されている。このため、摩耗が進行する過程での急激な剛性変化を緩和する効果に優れたものとなる。
【００３５】
図７に示すサイプ８は、タイヤ幅方向外側に向かって、即ち他方の端部Ｅ２から一方の端部Ｅ１に向かって幅を漸増させている。かかる構成によれば、排水性を効率良く高めることができ、特にショルダー陸部１３を構成するブロック６に形成することが有益である。この例では、幅狭部８１及び幅広部８２の各々の幅（図２の幅Ｗ１〜Ｗ３に相当）を漸増させているが、少なくとも幅広部８２の幅を漸増させることが好ましい。
【００３６】
本発明は上述した実施形態に何ら限定されるものではなく、本発明の趣旨を逸脱しない範囲内で種々の改良変更が可能である。上述の実施形態で示したトレッドパターンは一例であり、本発明に係る空気入りタイヤのトレッドに形成されるパターンは、これに限られるものではない。
【００３７】
本発明は、前述の如き作用効果を奏することから特にスタッドレスタイヤとして有用であるが、所謂オールシーズンタイヤや夏タイヤにも適用できる。かかる場合においても耐ハイドロプレーニング性能を向上しつつ、ヒールアンドトウ摩耗を抑制できるために実用性がある。
【実施例】
【００３８】
以下、本発明の構成と効果を具体的に示す実施例等について説明する。なお、タイヤの各性能評価は、次のようにして行った。
【００３９】
（１）耐ハイドロプレーニング性能
テスト車両（１５００ｃｃ、４ＷＤミドルセダン車）にテストタイヤを装着し、新品時と５０％摩耗時の各々について、８ｍｍの水深で車輪が完全に空転してハイドロプレーニング現象を起こす速度を計測した。比較例１の結果を１００として指数で評価し、数値が大きいほど速度が大きく、耐ハイドロプレーニング性能に優れていることを示す。
【００４０】
（２）耐ヒールアンドトウ摩耗性能
上記のテスト車両にテストタイヤを装着して一般路を走行し、プラットフォームが踏面に露出する５０％摩耗時と７５％摩耗時の各々について、ヒールアンドトウ摩耗による摩耗量を計測した。なお、５０％摩耗時の計測後に、タイヤの装着方向を変更して回転方向を反転させている。
【００４１】
（３）雪上路面での操縦安定性能
上記のテスト車両にテストタイヤを装着して雪上路面を走行し、新品時についてフィーリング試験による官能評価を行った。比較例１の結果を１００として指数で評価し、数値が大きいほど雪上路面での操縦安定性能に優れていることを示す。
【００４２】
図１に示したトレッドパターンを有する空気入りタイヤ（サイズ：１９５／６５Ｒ１５）において、符号８，１０で示されるサイプに、図８に示す断面形状で一律に形成したスリットを適用したものを比較例１とした。該スリットの各寸法は、Ｄ２１：９．０ｍｍ、Ｄ２３：４．５ｍｍ、Ｗ２１：０．５ｍｍ、Ｗ２３：５．０ｍｍである。
【００４３】
図１に示したトレッドパターンを有する空気入りタイヤ（サイズ：１９５／６５Ｒ１５）において、符号８，１０で示されるサイプに、図２に示すサイプを適用したものを実施例１、図５に示すサイプを適用したものを実施例２、図７に示すサイプを適用したものを実施例３とした。該サイプの両端部Ｅ１，Ｅ２で計測される各寸法は、Ｄ８：９．０ｍｍ、Ｄ８ａ：３．０ｍｍ、Ｄ８ｂ：６．０ｍｍ、Ｗ１：０．５ｍｍ、Ｗ２：１．７ｍｍ、Ｗ３：３．０ｍｍである。但し、実施例３の端部Ｅ１では、Ｗ１：０．７ｍｍ、Ｗ２：２．２ｍｍ、Ｗ３：５．０ｍｍとした。
【００４４】
比較例１と実施例１〜３に共通する寸法として、周方向溝１ａ〜１ｄの溝深さは９．０ｍｍ、横溝２，３の深さは４．５ｍｍ、横溝２，３の幅は３ｍｍ、サイプ７１の深さは４．５ｍｍ、サイプ７２，７３の最大深さは７．０ｍｍ、サイプ７，９の幅は０．４ｍｍである。
【００４５】
【表１】
2011183952.tif 000003
【００４６】
実施例１〜３では、比較例１と遜色がない程度に耐ハイドロプレーニング性能を発揮できており、中でも実施例１，３では、サイプの溝容積を確保できることから優れた結果が得られている。また、比較例１では、５０％摩耗時にヒールアンドトウ摩耗が生じているのに対し、実施例１〜３ではヒールアンドトウ摩耗を抑制できており、中でも実施例２では優れた結果が得られている。更に、実施例１〜３では、比較例１よりも雪上路面での操縦安定性能に優れており、ブロックの剛性を良好に確保できていると考えられる。
【符号の説明】
【００４７】
２      横溝
３      横溝
５      ブロック
６      ブロック
８      サイプ
１０    サイプ
８１    幅狭部
８２    幅広部
８２ａ  中間部
８２ｂ  底部
Ｅ１    一方の端部
Ｅ２    他方の端部
Ｔｒ    トレッド
ＷＬ１  一方の側における拡幅長さ
ＷＬ２  他方の側における拡幅長さ
【図１】
2011183952.tif 000004
【図２】
2011183952.tif 000005
【図３】
2011183952.tif 000006
【図４】
2011183952.tif 000007
【図５】
2011183952.tif 000008
【図６】
2011183952.tif 000009
【図７】
2011183952.tif 000010
【図８】
2011183952.tif 000011
【図９】
2011183952.tif 000012